(57)【要約】      （修正有）【課題】使用者の好みに合わせて、容易確実に、高さや傾斜具合をも部分的に細かく調整することができる枕を提供する。【解決手段】弾性基材を収納した基部袋体２と充填材を収容する調節用袋体１とで構成する。調節用袋体１は短手方向の幅は前記基部袋体２より両側に短く張出Ａし、長手方向は一方側に長く張出Ｂした平面形状である。基部袋体２より短く張出した短手方向の部分Ａは、基部袋体２の収容する弾性基材の側面に沿って折り返し可能である。基部袋体２と重合状態にある調節用袋体１の表面布内面の短手方向中央部に、高さ調節用バンド７の一端が固定され、他端は調節用袋体１及び前記基部袋体２内を通過して基部袋体２の下面布外面に着脱可能に係止される。基部袋体２より長く張出した長手方向側の部分Ｂは、先端近傍に充填材用開閉口を有し、調節用袋体１の裏面布と表面布に互いに対応して配設された係止片同士を緊締する結着バンド８を付設した。【選択図】図１
0003208313.tif 000002
【実用新案登録請求の範囲】
【請求項１】
表面布と裏面布で形成された調節用袋体と、前記裏面布と下面布で形成された基部袋体とで構成されていること、前記調節用袋体には充填材が収容されており、前記基部袋体には弾性基材が収納されていること、前記調節用袋体は、短手方向の幅が前記基部袋体より両側に短く張出し、長手方向は一方側に長く張出した平面形状であること、前記調節用袋体の基部袋体より短く張出した短手方向の部分は、前記基部袋体が収容する弾性基材の側面に沿って折り返し可能な固定手段を有すること、前記調節用袋体の前記基部袋体より長く張出した長手方向側の部分は、先端近傍に充填材用開閉口を有すると共に、長さ調節可能な折り返し固定手段を有すこと、前記基部袋体と重合状態にある前記調節用袋体の表面布内面の短手方向中央部に、高さ調節用バンドの一端が固定されており、前記調節用袋体及び前記基部袋体内を通過した他端は、前記基部袋体の下面布外面に着脱可能に係止されていることを特徴とする枕。
【請求項２】
短く張出した短手方向の部分を折り返し固定する手段は、一端が前記基部袋体と重合状態にある表面布内面に固定されており、中間部が裏面布の側端部に固定され、他端は前記基部袋体の下面布外面と着脱可能に係止される折曲用バンドであること、長く張出した長手方向側の部分を長さ調節可能に折り返し固定する手段は、前記調節用袋体の裏面布と表面布に互いに対応して配設された複数の係止片同士を、付設した結着バンドで緊締されていることを特徴とする請求項１に記載の枕。
【請求項３】
基部袋体と重合状態にある調節用袋体内には、短手方向中央に長手方向に亘って仕切布が設けられていることを特徴とする請求項１又は２に記載の枕。
【請求項４】
折曲用バンドの他端と基部袋体の下面布外面とが着脱可能に係止される手段、及び、高さ調節用バンドの他端と基部袋体の下面布外面とが着脱可能に係止される手段は、何れも互いに配設された面ファスナーであることを特徴とする請求項１乃至３に記載の枕。
【請求項５】
調節用袋体の裏面布と表面布に設けた複数の係止片が、結着バンドを挿通する環状形成片であることを特徴とする請求項１乃至４のいずれかに記載の枕。
【請求項６】
弾性基材が、短手方向中央で分れる一対の分割板で形成されていることを特徴とする請求項１乃至５のいずれかに記載の枕。
【考案の詳細な説明】
【技術分野】
【０００１】
本考案は枕に関し、より詳細には、使用者の好みに合わせて全体の高さや、部分的に高さを調整することのできる枕に関する。
【背景技術】
【０００２】
従来から高さを調整できるようにした各種の枕が提案されている。
例えば実用新案登録第３１６２３０６号公報では、充填物が充填される袋体の長手方向の向い合う各側縁部に、該各側縁部の長さを個別に調整可能な長さ調整部が設けられ、該長さ調整部が、前記袋体の長手方向の側縁部に沿って形成された紐挿通部と、該紐挿通部に挿通されるとともに、該紐挿通部と略平行に所定の間隔を設けて前記袋体内に挿通された紐と、前記紐挿通部及び前記袋体内からそれぞれ引き出された前記紐が挿通された引締具とを含んだ構成が開示されている。
【０００３】
また、特開２００７−６８９５２号公報では、枕Ａの表面から裏側に到る巾広の布等のベルトによる長方形に包合するように裏面に長さ調整が可能のように両端に面ファスナーを縫着し、更にゴムテープを枕裏面に縫着し、使用時に於いて頭部の荷重により両面側への膨張を防止するため樹脂等の管枕から成る構成が開示されている。
【先行技術文献】
【特許文献】
【０００４】
【特許文献１】実用新案登録第３１６２３０６号公報
【特許文献２】特開２００７−６８９５２号公報
【考案の概要】
【考案が解決しようとする課題】
【０００５】
上記実用新案登録第３１６２３０６号公報によれば、袋体の長手方向の向い合う各側縁部に設けられた、前記紐挿通部、前記紐、及び前記引締具を含んで構成される前記長さ調整部によって、前記袋体の長手方向の向い合う各側縁部の長さ（すなわち、窄め具合、縮み具合）を個別に調整することが可能となり、枕全体の高さ（厚み）だけでなく、枕の傾斜（傾き）具合も調整が可能となるものである。
【０００６】
本考案は、使用者の好みに合わせて、容易確実に、高さや傾斜具合をも部分的に細かく調整することができる枕を提供することを目的としている。
【課題を解決するための手段】
【０００７】
上記の目的を達成するため本願の請求項１の考案の枕は、表面布と裏面布で形成された調節用袋体と、前記裏面布と下面布で形成された基部袋体とで構成されていること、前記調節用袋体には充填材が収容されており、前記基部袋体には弾性基材が収納されていること、前記調節用袋体は、短手方向の幅が前記基部袋体より両側に短く張出し、長手方向は一方側に長く張出した平面形状であること、前記調節用袋体の基部袋体より短く張出した短手方向の部分は、前記基部袋体が収容する弾性基材の側面に沿って折り返し可能な固定手段を有すること、前記調節用袋体の前記基部袋体より長く張出した長手方向側の部分は、先端近傍に充填材用開閉口を有すると共に、長さ調節可能な折り返し固定手段を有すこと、前記基部袋体と重合状態にある前記調節用袋体の表面布内面の短手方向中央部に、高さ調節用バンドの一端が固定されており、前記調節用袋体及び前記基部袋体内を通過した他端は、前記基部袋体の下面布外面に着脱可能に係止されていることを特徴とするものである。
【０００８】
本考案の請求項２の枕は、請求項１の考案において、短く張出した短手方向の部分を折り返し固定する手段は、一端が前記基部袋体と重合状態にある表面布内面に固定されており、中間部が裏面布の側端部に固定され、他端は前記基部袋体の下面布外面と着脱可能に係止される折曲用バンドであること、長く張出した長手方向側の部分を長さ調節可能に折り返し固定する手段は、前記調節用袋体の裏面布と表面布に互いに対応して配設された複数の係止片同士を、付設した結着バンドで緊締されていることを特徴とするものである。
【０００９】
本考案の請求項３の枕は、請求項１又は２の考案において、基部袋体と重合状態にある調節用袋体内には、短手方向中央に長手方向に亘って仕切布が設けられていることを特徴とするものである。
【００１０】
本考案の請求項４の枕は、請求項１乃至３のいずれかの考案において、折曲用バンドの他端と基部袋体の下面布外面とが着脱可能に係止される手段、及び、高さ調節用バンドの他端と基部袋体の下面布外面とが着脱可能に係止される手段は、何れも互いに配設された面ファスナーであることを特徴とするものである。
【００１１】
本考案の請求項５の枕は、請求項１乃至４のいずれかの考案において、調節用袋体の裏面布と表面布に設けた複数の係止片が、結着バンドを挿通する環状形成片であることを特徴とするものである。
【００１２】
本考案の請求項６の枕は、請求項１乃至５のいずれかの考案において、弾性基材が、短手方向中央で分れる一対の分割板で形成されていることを特徴とするものである。
【考案の効果】
【００１３】
請求項１の考案は、調節用袋体の基部袋体より短く張出した短手方向の部分は、前記基部袋体の収容する弾性基材の側面に沿って折り返し可能なため、短手方向において調節用袋体の内部容量を調節できる効果を有する。
また、調節用袋体の基部袋体より長く張出した長手方向側の部分は、長さ調節可能な折り返し固定手段を有するため、長手方向において調節用袋体の内部容量を調節できる効果を有する。
【００１４】
さらに、基部袋体と重合状態にある前記調節用袋体の表面布内面の短手方向中央部に、高さ調節用バンドの一端が固定されており、前記基部袋体内を通過した他端は前記基部袋体の外面布と着脱可能に係止することができるため、充填材との表布の挟圧力で枕の硬さが変化することにより、高さ及び傾斜或いは硬さの調整効果も発揮するものとなる。
【００１５】
したがって、充填材を増減することなく枕全体の高さと傾斜を調整できる効果を有する。
そして、基部袋体に弾性基材が収納されているため、枕の基本的形態を維持すると共に、弾力性を補完する効果を発揮するものである。
【００１６】
請求項２の考案は、請求項１の考案の効果に加えて、短く張出した短手方向の部分を折り返し固定する手段は、一端が前記基部袋体と重合状態にある表面布内面に固定されており、中間部が裏面布の側端部に縫着され、他端は前記基部袋体の下面布外面と着脱可能に係止される折曲用バンドであって、折曲用バンドの中間部が裏面布側端部に縫着され、一端は前記基部袋体と重合状態にある表面布の内面に固定されているため、表裏面の布をしっかりと緊張させた状態で折り返すことができる効果を有するものである。
【００１７】
そして、長く張出した長手方向側の部分を長さ調節可能に折り返し固定する手段は、前記調節用袋体の裏面布と表面布に互いに対応して配設された複数の係止片同士を、付設した結着バンドで緊締するため、選択した係止片同士を結着バンド緊締することで容易に調整できる効果を有する。
【００１８】
請求項３の考案は、請求項１又は２の考案の効果に加えて、調節用袋体内には、短手方向中央に長手方向に亘って仕切布を設けたことで、短手方向である前後部分においても、それぞれに高さを調整でき、同時に傾斜の違いも生じる効果を有するものである。
【００１９】
請求項４の考案は、請求項１乃至３の考案の効果に加えて、折曲用バンドの他端と基部袋体の下面布とが着脱可能に係止される手段、及び、高さ調節用バンドの他端と基部袋体の下面布とが、面ファスナーで着脱可能に係止されるため、極めて容易に操作できる効果を有する。
【００２０】
請求項５の考案は、請求項１乃至４のいずれかの考案の効果に加えて、調節用袋体の裏面布と表面布に設けた複数の係止片が環状形成片であるため、結着バンドの挿通が容易で調整操作が簡便となる効果を有する。
【００２１】
請求項６の考案は、請求項１乃至５のいずれかの考案の効果に加えて、弾性基材が、短手方向中央で分れる一対の分割板で形成されているため、厚さや素材の異なる弾性基材を選択して、前後部分での基本的な好みに応じられる効果を有する。
【図面の簡単な説明】
【００２２】
【図１】本考案の枕を示す斜視図である。
【図２】枕を裏返した状態の斜視図である。
【図３】枕を短手方向から見た図であって、（ａ）は枕を高く調節した状態であり、（ｂ）は枕を低く調節した状態である。
【図４】図３（ａ）において、枕を長手方向から見た、基部袋体及び調節用袋体の概略断面図である。
【図５】図３（ｂ）において、枕を長手方向から見た、基部袋体及び調節用袋体の概略断面図である。
【考案を実施するための形態】
【００２３】
本考案の実施の形態を図面に基づいて説明する。
本考案の一実施の形態を示す図面において、本考案の枕は弾性基材４を収納する基部袋体２と、充填材３を収容する調節用袋体１とで構成されている。
充填材３は、粒状のものが好ましく、そば殻、もみ殻、小豆、合成樹脂ビーズ、発泡樹脂ビーズ等が、また、弾性基材４にはゴム、合成樹脂、発泡樹脂等が考えられる。
【００２４】
前記調節用袋体１は横長矩形の表面布１１と裏面布１２で周囲を縫着５して形成され、一方、前記基部袋体２は、前記調節用袋体１の裏面布１２と、長手方向（横方向）の一方の側端部を揃えて下面布２１重合し、当該下面布２１の周囲を縫着５して形成されている。
そして、調節用袋体１の短手方向の両側端部には、基部袋体２より突出した短い張出部Ａを設け、長手方向の一方側には長く突出した張出部Ｂが設けられている。
【００２５】
調節用袋体１の短手方向の張出部Ａには折曲用バンド６が複数枚（図面では３箇所）取付けてあり、当該折曲用バンド６の中間部が裏面布１２の側端部に縫着５され、裏面布１２のガイド１８を通過して、一端は基部袋体２と重合状態にある表面布１１の内面に縫着５されており、他端は基部袋体２の下面布２１と着脱可能に係止されている。
図面の係止手段は、係止方向に長さを有する面ファスナー６１，２２を配設してあり、張出部Ａが、基部袋体２の収容する弾性基材４の側面に沿って、折り返し可能と成っている。
【００２６】
一方、調節用袋体１の基部袋体２より長く突出した長手方向側の張出部Ｂは、先端近傍に充填材用開閉口１４を有し、スライドファスナー１５を装着して充填材３の出入を可能にしている。
また、調節用袋体１の裏面布１２と表面布１１に、環状に形成した係止片１６，１７が互いに対応して複数（図面では２又は３箇所）配設され、選択した係止片１６，１７に結着バンド８を捲回して結着し、張出部Ｂの長さを調節可能としている。
【００２７】
結着バンド８はテープ状の幅を有し、両端から長尺方向に長く面ファスナー８１，８１が貼着してあり、調節用袋体１の裏面布１２と表面布１１に配設された係止片１６，１７を選択し、結着バンド８を捲回して両端部の面ファスナー８１，８１で結着するもとしてある。
【００２８】
したがって、調節用袋体１内の充填材３が定量であっても、前記の張出部Ａを折り返すことや、張出部Ｂを折曲して長短とすることで、調節用袋体１内の容量を変化させ、調節用袋体１の高さ及び硬さを調整する作用を奏する。
【００２９】
また、基部袋体２と重合状態にある調節用袋体１の表面布１２内面における短手方向中央部に、高さ調節用バンド７の一端７１が縫着５して固定されており、調節用袋体１及び基部袋体２内を通過した他端７２は基部袋体２の下面布２１の外面に折れて被覆して着脱可能に係止されている。
高さ調節用バンド７の他端７２と基部袋体２の下面布２１とが着脱可能に係止される手段は、何れも面ファスナー７３，２３を互いに配設されている。
【００３０】
高さ調節用バンド７の係止状態によって、表面布１２の短手方向の中央部の高さが上下して充填材を挟圧するため、枕の高さ及び傾斜或いは硬さをより細かく調整する作用を奏する。
【００３１】
また、基部袋体２と重合状態にある調節用袋体１内に、短手方向中央に長手方向に亘って仕切布２４が設けられ、基部袋体２に収納する弾性基材４が、短手方向中央で分れる一対の分割板で構成するものとしてもよい。
【００３２】
調節用袋体１内に、短手方向中央に長手方向に亘って仕切布２４を設けたことで、枕の前後部分において独立した状態となり、各部の内部容量と充填材３との関係を、枕の前後部分においてそれぞれに調整できる作用を奏し、使用者の好みに合わせられるものとなる。
また、高さ調節用バンド７の他端７２が、弾性基材４の分割板間を通すことで容易に基部袋体２内を通過でき、基部袋体２の下面布２１に係止されることで各弾性基材４を位置決めできる作用も奏する。
【００３３】
以上、本考案の実施態様としての一例を説明したけれど、上記の実施の形態例に限定されるものではないことは勿論、本明細書及び図面に記載した事項から明らかになる本考案が、真に意図する技術的思想の範囲全体に広く及ぶものである。
【符号の説明】
【００３４】
１      調節用袋体
２      基部袋体
３      充填材
４      弾性基材
５      縫着
６      折曲用バンド
７      高さ調節用バンド
８      結着バンド
１１    表面布
１２    裏面布
１４    充填材用開閉口
１８    ガイド
２１    下面布
２４    仕切布
Ａ，Ｂ  張出部
【図１】
0003208313.tif 000003
【図２】
0003208313.tif 000004
【図３】
0003208313.tif 000005
【図４】
0003208313.tif 000006
【図５】
0003208313.tif 000007